(57)【要約】【課題】立体映像である主映像に副映像を重ね合わせて再生する場合に、副映像の端部に発生するちらつきを抑制する立体映像再生装置を提供する。【解決手段】立体映像再生装置１は、左右の目用ビデオ信号を生成するビデオデコーダ部１２と、左右の目用グラフィックス信号を生成するグラフィックスデコーダ部１３と、左右の目用ビデオ信号及び左右の目用グラフィックス信号を合成して左右の目用出力信号を生成する合成部１４と、左右の目用出力信号を交互に出力することによって、立体映像を再生する出力部１５とを備え、合成部１４は、左右の目用それぞれ出力信号それぞれについて、隣接する２つの画素が、共通の色差信号で表現され、且つ２つの画素の一方がビデオ信号を用いて、他方がグラフィックス信号を用いて生成される場合に、ビデオ信号及びグラフィックス信号の合成比率を一方に偏らせて共通の色差信号を生成する。【選択図】図１Ａ
2011217361.tif 000002
【特許請求の範囲】
【請求項１】
立体映像を再生する立体映像再生装置であって、
ビデオストリームをデコードして、互いに視差を有する右目用ビデオ信号及び左目用ビデオ信号を生成するビデオデコーダと、
グラフィックスストリームをデコードして、互いに視差を有する右目用グラフィックス信号及び左目用グラフィックス信号を生成するグラフィックスデコーダと、
右目用ビデオ信号及び右目用グラフィックス信号を合成して右目用出力信号を生成し、左目用ビデオ信号及び左目用グラフィックス信号を合成して左目用出力信号を生成する合成部と、
前記合成部で合成された前記右目用出力信号及び前記左目用出力信号を交互に出力することによって、立体映像を再生する出力部とを備え、
前記合成部は、
前記右目用出力信号のうちの隣接する２つの画素が、共通の色差信号で表現され、且つ２つの画素の一方が前記右目用ビデオ信号を用いて、他方が前記右目用グラフィックス信号を用いて生成される場合に、前記右目用ビデオ信号及び前記右目用グラフィックス信号の合成比率を一方に偏らせて前記共通の色差信号を生成し、
前記左目用出力信号のうちの隣接する２つの画素が、共通の色差信号で表現され、且つ２つの画素の一方が前記左目用ビデオ信号を用いて、他方が前記左目用グラフィックス信号を用いて生成される場合に、前記左目用ビデオ信号及び前記左目用グラフィックス信号の合成比率を一方に偏らせて前記共通の色差信号を生成する
立体映像再生装置。
【請求項２】
前記右目用ビデオ信号及び前記左目用ビデオ信号は、色差方式が４：２：２形式の映像信号であり、
前記右目用グラフィックス信号及び前記左目用グラフィックス信号は、色差方式が４：４：４形式のグラフィックス信号であり、
該立体映像再生装置は、さらに、前記右目用出力信号の各画素を前記右目用ビデオ信号及び前記右目用グラフィックス信号のいずれを用いて生成するかを示すと共に、前記左目用出力信号の各画素を前記左目用ビデオ信号及び前記左目用グラフィック信号のいずれを用いて生成するかを示す透過度情報を取得し、
前記合成部は、
前記右目用ビデオ信号及び前記左目用ビデオ信号の色差方式を、４：２：２形式から４：４：４形式に変換する色差分割部と、
色差方式が４：４：４形式の前記右目用ビデオ信号及び前記右目用グラフィックス信号を前記透過度情報に従って合成することにより、色差方式が４：４：４形式の前記右目用出力信号を生成する右目用出力信号生成部と、
色差方式が４：４：４形式の前記左目用ビデオ信号及び前記左目用グラフィックス信号を前記透過度情報に従って合成することにより、色差方式が４：４：４形式の前記左目用出力信号を生成する左目用出力信号生成部と、
前記右目用出力信号及び前記左目用出力信号の色差方式を、４：４：４形式から４：２：２形式に変換する色差合成部とを備え、
前記右目用出力信号生成部は、前記右目用出力信号のうち、共通の色差信号で表現される隣接する２つの画素の境界であって、且つ前記透過度情報が異なるエッジ位置を検出し、前記エッジ位置における共通の色差信号を前記右目用ビデオ信号及び前記右目用グラフィックス信号の合成比率を一方に偏らせて生成し、
前記左目用出力信号生成部は、前記左目用出力信号のうち、共通の色差信号で表現される隣接する２つの画素の境界であって、且つ前記透過度情報が異なるエッジ位置を検出し、前記エッジ位置における共通の色差信号を前記左目用ビデオ信号及び前記左目用グラフィックス信号の合成比率を一方に偏らせて生成する
請求項１に記載の立体映像再生装置。
【請求項３】
前記右目用出力信号生成部は、前記右目用ビデオ信号及び前記右目用グラフィックス信号の一方の色差信号のみを用いて、前記エッジ位置における共通の色差信号を生成し、
前記左目用出力信号生成部は、前記左目用ビデオ信号及び前記左目用グラフィックス信号の一方の色差信号のみを用いて、前記エッジ位置における共通の色差信号を生成する
請求項２に記載の立体映像再生装置。
【請求項４】
前記右目用出力信号生成部は、前記右目用グラフィックス信号の色差信号のみを用いて、前記エッジ位置における共通の色差信号を生成し、
前記左目用出力信号生成部は、前記左目用グラフィックス信号の色差信号のみを用いて、前記エッジ位置における共通の色差信号を生成する
請求項３に記載の立体映像再生装置。
【請求項５】
立体映像を再生する立体映像再生装置であって、
ビデオストリームをデコードして、互いに視差を有する右目用ビデオ信号及び左目用ビデオ信号を生成するビデオデコーダと、
グラフィックスストリームをデコードして、互いに視差を有する右目用グラフィックス信号及び左目用グラフィックス信号を生成するグラフィックスデコーダと、
右目用ビデオ信号及び右目用グラフィックス信号を合成して右目用出力信号を生成し、左目用ビデオ信号及び左目用グラフィックス信号を合成して左目用出力信号を生成する合成部と、
前記合成部で合成された前記右目用出力信号及び前記左目用出力信号を交互に出力することによって、立体映像を再生する出力部とを備え、
前記グラフィックスデコーダは、
前記グラフィックストリームをデコードして、平面グラフィックス信号と、前記右眼用グラフィックス信号を生成するための前記平面グラフィックス信号の水平移動量である右眼側水平移動量と、前記左目用グラフィックス信号を生成するための前記平面グラフィックス信号の水平移動量である左目側水平移動量とを生成するデコード処理部と、
前記平面グラフィックス信号を一方方向に前記右目側水平移動量だけ水平移動させて前記右目用グラフィックス信号を生成し、前記平面グラフィックス信号を他方方向に前記左目用水平移動量だけ水平移動させて左目用グラフィックス信号を生成する視差付加部とを備え、
前記視差付加部は、前記右目側水平移動量及び前記左目側水平移動量の一方が偶数画素で、他方が奇数画素である場合、前記右目側水平移動量及び前記左眼側水平移動量の一方で他方を上書きしてから、前記右目用グラフィックス信号及び前記左眼用グラフィックス信号を生成する
立体映像再生装置。
【請求項６】
立体映像を再生する立体映像再生方法であって、
ビデオストリームをデコードして、互いに視差を有する右目用ビデオ信号及び左目用ビデオ信号を生成するビデオデコーダステップと、
グラフィックスストリームをデコードして、互いに視差を有する右目用グラフィックス信号及び左目用グラフィックス信号を生成するグラフィックスデコーダステップと、
右目用ビデオ信号及び右目用グラフィックス信号を合成して右目用出力信号を生成し、左目用ビデオ信号及び左目用グラフィックス信号を合成して左目用出力信号を生成する合成ステップと、
前記合成ステップで合成された前記右目用出力信号及び前記左目用出力信号を交互に出力することによって、立体映像を再生する出力ステップとを含み、
前記合成ステップでは、
前記右目用出力信号のうちの隣接する２つの画素が、共通の色差信号で表現され、且つ２つの画素の一方が前記右目用ビデオ信号を用いて、他方が前記右目用グラフィックス信号を用いて生成される場合に、前記右目用ビデオ信号及び前記右目用グラフィックス信号の合成比率を一方に偏らせて前記共通の色差信号を生成し、
前記左目用出力信号のうちの隣接する２つの画素が、共通の色差信号で表現され、且つ２つの画素の一方が前記左目用ビデオ信号を用いて、他方が前記左目用グラフィックス信号を用いて生成される場合に、前記左目用ビデオ信号及び前記左目用グラフィックス信号の合成比率を一方に偏らせて前記共通の色差信号を生成する
立体映像再生方法。
【請求項７】
立体映像を再生する集積回路であって、
ビデオストリームをデコードして、互いに視差を有する右目用ビデオ信号及び左目用ビデオ信号を生成するビデオデコーダと、
グラフィックスストリームをデコードして、互いに視差を有する右目用グラフィックス信号及び左目用グラフィックス信号を生成するグラフィックスデコーダと、
右目用ビデオ信号及び右目用グラフィックス信号を合成して右目用出力信号を生成し、左目用ビデオ信号及び左目用グラフィックス信号を合成して左目用出力信号を生成する合成部と、
前記合成で合成された前記右目用出力信号及び前記左目用出力信号を交互に出力することによって、立体映像を再生する出力部とを備え、
前記合成部は、
前記右目用出力信号のうちの隣接する２つの画素が、共通の色差信号で表現され、且つ２つの画素の一方が前記右目用ビデオ信号を用いて、他方が前記右目用グラフィックス信号を用いて生成される場合に、前記右目用ビデオ信号及び前記右目用グラフィックス信号の合成比率を一方に偏らせて前記共通の色差信号を生成し、
前記左目用出力信号のうちの隣接する２つの画素が、共通の色差信号で表現され、且つ２つの画素の一方が前記左目用ビデオ信号を用いて、他方が前記左目用グラフィックス信号を用いて生成される場合に、前記左目用ビデオ信号及び前記左目用グラフィックス信号の合成比率を一方に偏らせて前記共通の色差信号を生成する
集積回路。
【発明の詳細な説明】
【技術分野】
【０００１】
本発明は、立体映像（３Ｄ映像）である主映像に副映像などを重ね合わせて再生する立体映像再生装置に関するものである。
【背景技術】
【０００２】
近年、立体映像である主映像信号と字幕などの副映像信号とをデジタル符号化し多重化したデータを記録するブルーレイディスク等の記録媒体が急速に普及しつつある。
【０００３】
主映像信号は、ＣＣＩＲ（Ｉｎｔｅｒｎａｔｉｏｎａｌ  Ｒａｄｉｏ  Ｃｏｎｓｕｌｔａｔｉｖｅ  Ｃｏｍｍｉｔｅｅ）で規格化された４：２：２形式の色差方式に準拠しており、１画素当たり８ビットの１つの輝度信号と、２画素当たりで各々８ビットの色差信号Ｃｂ／Ｃｒとで構成される。これに対して、副映像信号は、４：４：４形式の色差方式に準拠しており、１画素当たり８ビットの輝度信号と、１画素当たり各々８ビットの色差データＣｂ／Ｃｒとで構成される。
【０００４】
主映像信号に副映像信号を重ね合わせて再生する場合には、色差方式を一致させた後に、重ねあわせを行う必要がある。すなわち、主映像信号を４：２：２形式から４：４：４形式に変換し、４：４：４形式の主映像信号と副映像信号とを重ね合わせる。または、副映像信号を４：４：４形式から４：２：２形式に変換し、４：２：２形式の主映像信号と副映像信号とを重ねあわせる。
【０００５】
このようにして主映像と副映像とを重ね合わせて表示する場合に、副映像の端部などに、原色と異なる色が発生することを抑制する技術が知られている（例えば特許文献１参照）。
【先行技術文献】
【特許文献】
【０００６】
【特許文献１】特開２００７−１３４８８３号公報
【発明の概要】
【発明が解決しようとする課題】
【０００７】
しかしながら、主映像に副映像を重ねて立体再生する場合、右目用の副映像の表示位置と左目用の副映像の表示位置とが異なる。そのため、重ね合わせた右目用の副映像の端部と、重ね合わせた左目用の副映像の端部との表示位置の差によって、ユーザには立体映像がちらついて見えるという課題がある。
【０００８】
本発明は、立体映像である主映像に副映像を重ね合わせて再生する場合に、副映像の端部に発生するちらつきを抑制する立体映像再生装置を提供することを目的とする。
【課題を解決するための手段】
【０００９】
本発明の一形態に係る立体映像再生装置は、立体映像を再生する。具体的には、ビデオストリームをデコードして、互いに視差を有する右目用ビデオ信号及び左目用ビデオ信号を生成するビデオデコーダと、グラフィックスストリームをデコードして、互いに視差を有する右目用グラフィックス信号及び左目用グラフィックス信号を生成するグラフィックスデコーダと、右目用ビデオ信号及び右目用グラフィックス信号を合成して右目用出力信号を生成し、左目用ビデオ信号及び左目用グラフィックス信号を合成して左目用出力信号を生成する合成部と、前記合成部で合成された前記右目用出力信号及び前記左目用出力信号を交互に出力することによって、立体映像を再生する出力部とを備える。そして、前記合成部は、前記右目用出力信号のうちの隣接する２つの画素が、共通の色差信号で表現され、且つ２つの画素の一方が前記右目用ビデオ信号を用いて、他方が前記右目用グラフィックス信号を用いて生成される場合に、前記右目用ビデオ信号及び前記右目用グラフィックス信号の合成比率を一方に偏らせて前記共通の色差信号を生成し、前記左目用出力信号のうちの隣接する２つの画素が、共通の色差信号で表現され、且つ２つの画素の一方が前記左目用ビデオ信号を用いて、他方が前記左目用グラフィックス信号を用いて生成される場合に、前記左目用ビデオ信号及び前記左目用グラフィックス信号の合成比率を一方に偏らせて前記共通の色差信号を生成する。
【００１０】
上記構成によれば、主映像信号であるビデオ信号に副映像信号であるグラフィックス信号を重ね合わせて再生する場合に、グラフィックスの端部にちらつきが発生するのを抑制することができる。
【００１１】
一例として、前記右目用ビデオ信号及び前記左目用ビデオ信号は、色差方式が４：２：２形式の映像信号であってもよい。また、前記右目用グラフィックス信号及び前記左目用グラフィックス信号は、色差方式が４：４：４形式のグラフィックス信号であってもよい。さらに、該立体映像再生装置は、前記右目用出力信号の各画素を前記右目用ビデオ信号及び前記右目用グラフィックス信号のいずれを用いて生成するかを示すと共に、前記左目用出力信号の各画素を前記左目用ビデオ信号及び前記左目用グラフィック信号のいずれを用いて生成するかを示す透過度情報を取得してもよい。前記合成部は、前記右目用ビデオ信号及び前記左目用ビデオ信号の色差方式を、４：２：２形式から４：４：４形式に変換する色差分割部と、色差方式が４：４：４形式の前記右目用ビデオ信号及び前記右目用グラフィックス信号を前記透過度情報に従って合成することにより、色差方式が４：４：４形式の前記右目用出力信号を生成する右目用出力信号生成部と、色差方式が４：４：４形式の前記左目用ビデオ信号及び前記左目用グラフィックス信号を前記透過度情報に従って合成することにより、色差方式が４：４：４形式の前記左目用出力信号を生成する左目用出力信号生成部と、前記右目用出力信号及び前記左目用出力信号の色差方式を、４：４：４形式から４：２：２形式に変換する色差合成部とを備えてもよい。そして、前記右目用出力信号生成部は、前記右目用出力信号のうち、共通の色差信号で表現される隣接する２つの画素の境界であって、且つ前記透過度情報が異なるエッジ位置を検出し、前記エッジ位置における共通の色差信号を前記右目用ビデオ信号及び前記右目用グラフィックス信号の合成比率を一方に偏らせて生成し、前記左目用出力信号生成部は、前記左目用出力信号のうち、共通の色差信号で表現される隣接する２つの画素の境界であって、且つ前記透過度情報が異なるエッジ位置を検出し、前記エッジ位置における共通の色差信号を前記左目用ビデオ信号及び前記左目用グラフィックス信号の合成比率を一方に偏らせて生成してもよい。
【００１２】
また、前記右目用出力信号生成部は、前記右目用ビデオ信号及び前記右目用グラフィックス信号の一方の色差信号のみを用いて、前記エッジ位置における共通の色差信号を生成してもよい。同様に、前記左目用出力信号生成部は、前記左目用ビデオ信号及び前記左目用グラフィックス信号の一方の色差信号のみを用いて、前記エッジ位置における共通の色差信号を生成してもよい。これにより、ちらつきの発生をさらに有効に抑制することができる。
【００１３】
さらに、前記右目用出力信号生成部は、前記右目用グラフィックス信号の色差信号のみを用いて、前記エッジ位置における共通の色差信号を生成してもよい。同様に、前記左目用出力信号生成部は、前記左目用グラフィックス信号の色差信号のみを用いて、前記エッジ位置における共通の色差信号を生成してもよい。これにより、ちらつきの発生をさらに有効に抑制することができる。
【００１４】
本発明の他の形態に係る立体映像再生装置は、立体映像を再生する。具体的には、ビデオストリームをデコードして、互いに視差を有する右目用ビデオ信号及び左目用ビデオ信号を生成するビデオデコーダと、グラフィックスストリームをデコードして、互いに視差を有する右目用グラフィックス信号及び左目用グラフィックス信号を生成するグラフィックスデコーダと、右目用ビデオ信号及び右目用グラフィックス信号を合成して右目用出力信号を生成し、左目用ビデオ信号及び左目用グラフィックス信号を合成して左目用出力信号を生成する合成部と、前記合成部で合成された前記右目用出力信号及び前記左目用出力信号を交互に出力することによって、立体映像を再生する出力部とを備える。前記グラフィックスデコーダは、前記グラフィックストリームをデコードして、平面グラフィックス信号と、前記右眼用グラフィックス信号を生成するための前記平面グラフィックス信号の水平移動量である右眼側水平移動量と、前記左目用グラフィックス信号を生成するための前記平面グラフィックス信号の水平移動量である左目側水平移動量とを生成するデコード処理部と、前記平面グラフィックス信号を一方方向に前記右目側水平移動量だけ水平移動させて前記右目用グラフィックス信号を生成し、前記平面グラフィックス信号を他方方向に前記左目用水平移動量だけ水平移動させて左目用グラフィックス信号を生成する視差付加部とを備える。そして、前記視差付加部は、前記右目側水平移動量及び前記左目側水平移動量の一方が偶数画素で、他方が奇数画素である場合、前記右目側水平移動量及び前記左眼側水平移動量の一方で他方を上書きしてから、前記右目用グラフィックス信号及び前記左眼用グラフィックス信号を生成する。
【００１５】
本発明の一形態に係る立体映像再生方法は、立体映像を再生する方法である。具体的には、ビデオストリームをデコードして、互いに視差を有する右目用ビデオ信号及び左目用ビデオ信号を生成するビデオデコーダステップと、グラフィックスストリームをデコードして、互いに視差を有する右目用グラフィックス信号及び左目用グラフィックス信号を生成するグラフィックスデコーダステップと、右目用ビデオ信号及び右目用グラフィックス信号を合成して右目用出力信号を生成し、左目用ビデオ信号及び左目用グラフィックス信号を合成して左目用出力信号を生成する合成ステップと、前記合成ステップで合成された前記右目用出力信号及び前記左目用出力信号を交互に出力することによって、立体映像を再生する出力ステップとを含む。そして、前記合成ステップでは、前記右目用出力信号のうちの隣接する２つの画素が、共通の色差信号で表現され、且つ２つの画素の一方が前記右目用ビデオ信号を用いて、他方が前記右目用グラフィックス信号を用いて生成される場合に、前記右目用ビデオ信号及び前記右目用グラフィックス信号の合成比率を一方に偏らせて前記共通の色差信号を生成し、前記左目用出力信号のうちの隣接する２つの画素が、共通の色差信号で表現され、且つ２つの画素の一方が前記左目用ビデオ信号を用いて、他方が前記左目用グラフィックス信号を用いて生成される場合に、前記左目用ビデオ信号及び前記左目用グラフィックス信号の合成比率を一方に偏らせて前記共通の色差信号を生成する。
【００１６】
本発明の一形態に係る集積回路は、立体映像を再生する。具体的には、ビデオストリームをデコードして、互いに視差を有する右目用ビデオ信号及び左目用ビデオ信号を生成するビデオデコーダと、グラフィックスストリームをデコードして、互いに視差を有する右目用グラフィックス信号及び左目用グラフィックス信号を生成するグラフィックスデコーダと、右目用ビデオ信号及び右目用グラフィックス信号を合成して右目用出力信号を生成し、左目用ビデオ信号及び左目用グラフィックス信号を合成して左目用出力信号を生成する合成部と、前記合成で合成された前記右目用出力信号及び前記左目用出力信号を交互に出力することによって、立体映像を再生する出力部とを備える。そして、前記合成部は、前記右目用出力信号のうちの隣接する２つの画素が、共通の色差信号で表現され、且つ２つの画素の一方が前記右目用ビデオ信号を用いて、他方が前記右目用グラフィックス信号を用いて生成される場合に、前記右目用ビデオ信号及び前記右目用グラフィックス信号の合成比率を一方に偏らせて前記共通の色差信号を生成し、前記左目用出力信号のうちの隣接する２つの画素が、共通の色差信号で表現され、且つ２つの画素の一方が前記左目用ビデオ信号を用いて、他方が前記左目用グラフィックス信号を用いて生成される場合に、前記左目用ビデオ信号及び前記左目用グラフィックス信号の合成比率を一方に偏らせて前記共通の色差信号を生成する。
【発明の効果】
【００１７】
以上のように、本発明の立体映像再生装置によれば、立体映像である主映像に副映像を重ね合わせて再生する場合に、副映像の端部にちらつきが発生するのを抑制することができる。
【図面の簡単な説明】
【００１８】
【図１Ａ】図１Ａは、実施の形態１の立体映像再生装置の構成を示すブロック図である。
【図１Ｂ】図１Ｂは、実施の形態１の立体映像装置の動作を示すフローチャートである。
【図２Ａ】図２Ａは、実施の形態１の合成部の構成を示すブロック図である。
【図２Ｂ】図２Ｂは、実施の形態１の合成部の動作を示すフローチャートである。
【図３】図３は、実施の形態１のＬ側ビデオ信号、及びＬ側グラフィックス信号の一例を説明する図である。
【図４】図４は、図３のＬ側ビデオ信号とＬ側グラフィックス信号とを合成して得られるＬ側出力信号を説明する図である。
【図５】図５は、実施の形態１のＬ側ビデオ信号、及びＬ側グラフィックス信号の別の例を説明する図である。
【図６】図６は、図５のＬ側ビデオ信号とＬ側グラフィックス信号とを合成して得られるＬ側出力信号を説明する図である。
【図７Ａ】図７Ａは、実施の形態１のＬ側ビデオ信号とＬ側グラフィックス信号との一例を説明する図である。
【図７Ｂ】図７Ｂは、実施の形態１のＲ側ビデオ信号とＲ側のグラフィックス信号との一例を説明する図である。
【図８Ａ】図８Ａは、図７ＡのＬ側ビデオ信号とＬ側グラフィックス信号とを合成して得られるＬ側出力信号を説明する図である。
【図８Ｂ】図８Ｂは、図７ＢのＲ側ビデオ信号とＲ側グラフィックス信号とを合成して得られるＲ側出力信号の補正処理を説明する図である。
【図９】図９は、実施の形態２の立体映像再生装置の構成を示すブロック図である。
【図１０】図１０は、実施の形態１、２に係る立体映像再生装置を搭載した機器の外観斜視図である。
【発明を実施するための形態】
【００１９】
以下に、本発明の実施の形態について、図面を参照しながら説明する。
【００２０】
（実施の形態１）
図１Ａは、本実施の形態の立体映像再生装置の構成を示すブロック図である。図１Ｂは、本実施の形態の立体映像再生装置の動作を示すフローチャートである。立体映像再生装置１は、図１Ａに示されるように、ストリーム処理部１１と、ビデオデコーダ部１２と、グラフィックスデコーダ部１３と、合成部１４と、ビデオ出力部１５とで構成される。
【００２１】
ストリーム処理部１１は、３Dストリームを取得し、取得した３Ｄストリームを分離して、ビデオストリームとグラフィックスストリームとを生成する（Ｓ１１）。そして、ストリーム処理部１１は、生成したビデオストリームをビデオデコーダ部１２に出力し、グラフィックスストリームをグラフィックスデコーダ部１３に出力する。但し、ビデオストリームとグラフィックスストリームとを別々に取得する場合には、ストリーム処理部１１を省略してもよい。
【００２２】
ビデオデコーダ部１２は、ストリーム処理部１１から取得したビデオストリームを復号して、Ｌ側（左目用）ビデオ信号と、Ｒ側（右目用）ビデオ信号とを生成する（Ｓ１２）。そして、ビデオデコーダ部１２は、生成したＬ側ビデオ信号とＲ側ビデオ信号とを合成部１４に出力する。ここで、Ｌ側ビデオ信号とＲ側ビデオ信号とは、典型的には、動画像信号等の主映像信号であって、互いに視差を有する立体映像信号である。
【００２３】
グラフィックスストリームに左側及び右側それぞれのグラフィックスが用意されている２プレーン方式であった場合、グラフィックスデコーダ部１３は、ストリーム処理部１１から取得したグラフィックスストリームを復号して、Ｌ側グラフィックス信号とＲ側グラフィックス信号とを生成する（Ｓ１３）。そして、グラフィックスデコーダ部１３は、生成したＬ側グラフィックス信号とＲ側グラフィックス信号とを合成部１４に出力する。ここで、Ｌ側グラフィックス信号とＲ側グラフィックス信号とは、典型的には、主映像信号に重畳される字幕やメニュー等の副映像信号であって、互いに視差を有する立体映像信号である。
【００２４】
合成部１４は、ビデオデコーダ部１２から取得したＬ側ビデオ信号と、グラフィックスデコーダ部１３から取得したＬ側グラフィックス信号とを合成して、Ｌ側出力信号を生成する（Ｓ１４）。同様に、ビデオデコーダ部１２は、ビデオデコーダ部１２から取得したＲ側ビデオ信号と、グラフィックスデコーダ部１３から取得したＲ側グラフィックス信号とを合成して、Ｒ側出力信号を生成する（Ｓ１５）。そして、合成部１４は、生成したＬ側出力信号とＲ側出力信号とをビデオ出力部１５に出力する。
【００２５】
ビデオ出力部１５は、合成部１４から取得したＬ側映像信号とＲ側映像信号とを、所定の伝送方式に従い、１フレーム（ピクチャ）毎に交互に出力する（Ｓ１６）。ビデオ出力部１５から出力された信号を表示装置に表示することにより、視聴者は立体的な映像を視聴することができる。
【００２６】
図２Ａは、本実施の形態における合成部１４の構成を示すブロック図である。図２Ｂは、合成部１４の動作を示すフローチャートである。合成部１４は、Ｌ側色差分割部２０１と、Ｌ側重畳部２０２と、Ｌ側データ補正部２０３と、Ｌ側αエッジ検出部２０４と、Ｌ側αエッジ位置判定部２０５と、Ｌ側色差合成部２０６と、Ｒ側色差分割部２０７と、Ｒ側重畳部２０８と、Ｒ側データ補正部２０９と、Ｒ側αエッジ検出部２１０と、Ｒ側αエッジ位置判定部２１１と、Ｒ側色差合成部２１２とで構成される。なお、Ｌ側重畳部２０２、Ｌ側データ補正部２０３、Ｌ側αエッジ検出部２０４、及びＬ側αエッジ位置判定部で、Ｌ側出力信号生成部を構成する。同様に、Ｒ側重畳部２０８、Ｒ側データ補正部２０９、Ｒ側αエッジ検出部２１０、及びＲ側αエッジ位置判定部２１１でＲ側出力信号生成部を構成する。
【００２７】
合成部１４に入力されるＬ側ビデオ信号とＲ側ビデオ信号とは、色差方式が４：２：２形式の信号である。一方、Ｌ側グラフィックス信号とＲ側グラフィックス信号とは、色差方式が４：４：４形式の信号である。しかしながら、ビデオ信号とグラフィックス信号とを合成するためには、色差方式を統一する必要がある。本実施の形態では、色差方式を４：４：４形式に統一する例を説明する。
【００２８】
まず、Ｌ側ビデオ信号とＬ側グラフィックス信号とを合成する処理について説明する。Ｌ側色差分割部２０１は、Ｌ側ビデオ信号の色差方式を、４：２：２形式から４：４：４形式に変換する（Ｓ２１）。
【００２９】
Ｌ側重畳部２０２は、Ｌ側ビデオ信号とＬ側グラフィックス信号とを重畳（合成）して、Ｌ側出力信号を生成する（Ｓ２２）。重畳処理は、ブレンド係数に基づいて行われる。ブレンド係数（透過度情報）は、Ｌ側出力信号の各画素を、Ｌ側ビデオ信号を用いて生成するか、Ｌ側グラフィックス信号を用いて生成するかを示す情報である。
【００３０】
次に、Ｌ側αエッジ検出部２０４は、Ｌ側グラフィックス信号に含まれるブレンド係数（α値：透過度情報）の水平方向のエッジ位置を検出する（Ｓ２３）。エッジ位置が検出された場合（Ｓ２３でＹｅｓ）、ステップＳ２４に進む。一方、エッジ位置が検出されなかった場合（Ｓ２３でＮｏ）、ステップＳ２６に進む。
【００３１】
Ｌ側αエッジ位置判定部２０５は、Ｌ側αエッジ検出部２０４で検出された水平方向のエッジ位置が偶数画素位置であるか、もしくは奇数画素位置であるかを判別する（Ｓ２４）。エッジ位置が奇数画素位置であった場合（Ｓ２４でＹｅｓ）、ステップＳ２５に進む。一方、エッジ位置が偶数画素位置であった場合（Ｓ２４でＮｏ）、ステップＳ２６に進む。
【００３２】
Ｌ側データ補正部２０３は、Ｌ側αエッジ位置判定部２０５の判別結果に基づいて、Ｌ側ビデオ信号とＬ側グラフィックス信号とを重畳して得られるＬ側出力信号を補正する（Ｓ２５）。
【００３３】
Ｌ側色差合成部２０６は、Ｌ側データ補正部２０３で補正されたＬ側出力信号の色差方式を、４：４：４形式から４：２：２形式に変換して出力する（Ｓ２６）。
【００３４】
Ｒ側ビデオ信号とＲ側グラフィックス信号との合成処理は、Ｌ側ビデオ信号とＬ側グラフィックス信号とを合成する処理と同様であるので、詳しい説明は省略する。
【００３５】
Ｒ側色差分割部２０７は、Ｒ側ビデオ信号の色差方式を、４：２：２形式から４：４：４形式に変換する。Ｒ側重畳部２０８は、Ｒ側ビデオ信号とＲ側グラフィックス信号とを重畳する。Ｒ側αエッジ検出部２１０は、Ｒ側グラフィックス信号に含まれるブレンド係数（α値：透過度情報）の水平方向のエッジ位置を検出する。Ｒ側αエッジ位置判定部２１１は、Ｒ側αエッジ検出部２１０で検出された水平方向のエッジ位置が偶数画素位置であるか、もしくは奇数画素位置であるかを判別する。Ｒ側データ補正部２０９は、Ｒ側αエッジ位置判定部２１１の判別結果に基づいて、Ｒ側ビデオ信号とＲ側グラフィックス信号とを重畳して得られるＲ側出力信号を補正する。Ｒ側色差合成部２１２は、Ｒ側データ補正部２０９で補正されたＲ側出力信号の色差方式を、４：４：４形式から４：２：２形式に変換して出力する。
【００３６】
次に、図３〜図６を参照して、Ｌ側ビデオ信号とＬ側グラフィックス信号との合成方法について説明する。なお、Ｒ側ビデオ信号とＲ側グラフィックス信号との合成方法も同一であるので、説明は省略する。
【００３７】
まず、図３及び図４は、ブレンド係数（α値：透過度情報）の水平方向のエッジ位置が偶数画素位置である場合において、Ｌ側ビデオ信号とＬ側グラフィックス信号とを合成する例を示している。図３は、Ｌ側ビデオ信号及びＬ側グラフィックス信号の画素値（Ｙ／Ｃｂ／Ｃｒ）の一例を説明する図である。図４は、Ｌ側出力信号の画素値の一例を説明する図である。
【００３８】
Ｌ側色差分割部２０１は、図３の上段から中段に示されるように、ビデオデコーダ部１２から出力された４：２：２形式のＬ側ビデオ信号を、４：４：４形式のＬ側ビデオ信号へと変換する。４：２：２形式のＬ側ビデオ信号において、水平方向に隣接する２つの画素（例えば、画素位置０、１）は、共通の色差信号（Ｃｂ０１／Ｃｒ０１）で表現されている。そこで、Ｌ側色差分割部２０１は、共通の色差信号Ｃｂ０１を、各画素に個別の色差信号Ｃｂ０、Ｃｂ１に変換する。このとき、色差信号Ｃｂ０１を色差信号Ｃｂ０、Ｃｂ１にコピーしてもよいし、隣接する他の画素の色差信号をさらに用いて重み付け演算することにより、個別の色差信号Ｃｂ０、Ｃｂ１を生成してもよい。この処理は、色差信号Ｃｒ０１、及び他の画素の色差信号に対しても共通する。
【００３９】
Ｌ側グラフィックス信号は、図３の下段に示すように、４：４：４形式の画素値（Ｙ／Ｃｂ／Ｃｒ）と、画素毎のブレンド係数（α値：透過度情報）とを含む。この例におけるブレンド係数は、画素位置１と画素位置２との間（偶数画素位置）で０から１に変化し、画素位置５と画素位置６との間（偶数画素位置）で１から０に変化している。ここでは、ブレンド係数が変化する画素位置を水平方向のエッジ位置と表記する。なお、この例では、ブレンド係数をＬ側グラフィックス信号に含めた例を示したが、これに限ることなく、Ｌ側グラフィックス信号とブレンド係数とを別々にストリーム処理部１１から取得してもよい。
【００４０】
図４は、４：４：４形式のＬ側グラフィックス信号と、４：４：４形式のＬ側ビデオ信号とを重畳した結果、すなわち４：４：４形式のＬ側出力信号を示している。Ｌ側重畳部２０２は、ブレンド係数に基づいて、Ｌ側ビデオ信号とＬ側グラフィックス信号とを合成する。具体的には、ブレンド係数α＝０の画素にＬ側ビデオ信号の対応する（同じ位置）の画素の画素値を設定し、ブレンド係数α＝１の画素にＬ側グラフィックス信号の対応する（同じ位置）の画素値を設定することにより、Ｌ側出力信号を生成する。
【００４１】
Ｌ側色差合成部２０６は、生成されたＬ側出力信号の色差信号を、４：４：４形式から４：２：２形式に変換し、ビデオ出力部１５に出力する。なお、４：２：２形式の色差信号は、Ｌ側ビデオ信号間もしくはＬ側グラフィックス信号間で補間処理をすることで、生成することができる。補間処理の具体例は特に限定されないが、例えば、隣接する２つの画素（例えば、画素位置０、１）それぞれの色差信号Ｃｂ０、Ｃｂ１を、加算平均して共通の色差信号Ｃｂ０１を生成する。他の色差信号Ｃｒ０１、及び他の画素についても同様である。
【００４２】
次に、図５及び図６は、ブレンド係数（α値）の水平方向のエッジ位置が奇数画素位置である場合において、Ｌ側ビデオ信号とＬ側グラフィックス信号とを合成する例を示している。図５は、Ｌ側ビデオ信号及びＬ側グラフィックス信号の画素値の一例を説明する図である。図６は、Ｌ側出力信号の画素値の一例を説明する図である。
【００４３】
図５おいて、ビデオデコーダ部１２から出力された４：２：２形式のＬ側ビデオ信号は、Ｌ側色差分割部２０１によって、４：４：４形式のＬ側ビデオ信号へと変換される。Ｌ側グラフィックス信号は、図５に示すように、４：４：４形式の画素値と、画素毎のブレンド係数（α値：透過度情報）とを含む。この例におけるブレンド係数は、画素位置０と画素位置１との間（奇数画素位置）で０から１に変化し、画素位置４と画素位置５との間（奇数画素位置）で１から０に変化している。
【００４４】
図６は、４：４：４形式のＬ側グラフィックス信号と、４：４：４形式のＬ側ビデオ信号とを重畳した結果、すなわち４：４：４形式のＬ側出力信号を示している。重畳されたＬ側出力信号は、Ｌ側色差合成部２０６によって４：２：２形式のＬ側出力信号としてビデオ出力部１５へと出力される。
【００４５】
ブレンド係数（α値）のエッジ位置が奇数画素位置の場合において、４：２：２形式の色差信号は、Ｌ側ビデオ信号とＬ側グラフィックス信号との間で補間処理をして生成しなければならず、想定外の色差信号が生成される。
【００４６】
立体映像の信号処理においては、上述のようなブレンド係数の水平方向のエッジ位置が、Ｌ側出力信号及びＲ側出力信号の一方で偶数画素位置、他方で奇数画素位置となった場合、片側だけ想定外の色差信号を発生することになり、映像のちらつきとして現れる。特に、字幕やメニュー等のほぼ同一（視差の分だけ異なる）グラフィックス信号を重畳する場合には、映像のちらつきが特に顕著となる。
【００４７】
そこで、立体映像再生装置１の合成部１４の動作を、図７Ａ、図７Ｂ、図８Ａ及び図８Ｂを参照して説明する。
【００４８】
図７Ａは、本実施の形態のＬ側ビデオ信号とＬ側グラフィックス信号との画素値の一例を説明する図である。図７Ｂは、本実施の形態のＲ側ビデオ信号とＲ側グラフィックス信号との画素値の一例を説明する図である。図８Ａは、図７ＡのＬ側ビデオ信号とＬ側グラフィックス信号とを合成して得られるＬ側出力信号を示す図である。図８Ｂは、図７ＢのＲ側ビデオ信号とＲ側グラフィックス信号とを合成して得られるＲ側出力信号の補正処理を説明する図である。
【００４９】
Ｌ側色差分割部２０１から出力されたＬ側ビデオ信号と、グラフィックスデコーダ部１３から出力されたＬ側グラフィックス信号とが重畳され、Ｒ側色差分割部２０７から出力されたＲ側ビデオ信号と、グラフィックスデコーダ部１３から出力されたＲ側グラフィックス信号とが重畳される場合を考える。
【００５０】
このとき、左側のブレンド係数は、画素位置４から画素位置７までがα＝１であり、その他の画素位置がα＝０である。一方、右側のブレンド係数は、画素位置１から画素位置４までがα＝１であり、その他の画素位置がα＝０である。
【００５１】
上記のビデオ信号とグラフィックス信号とを左右それぞれで重畳したときに、Ｌ側出力信号の画素位置４から画素位置７までと、Ｒ側出力信号の画素位置１から画素位置４までとは同一のグラフィックス信号であり、画素位置が左右の視差分だけずれているので、立体視として見られる。
【００５２】
Ｌ側出力信号をＬ側色差合成部２０６で４：４：４形式から４：２：２形式に変換する時、画素位置０から画素位置７における色差信号（Ｃｂ、Ｃｒ）は、元のＬ側ビデオ信号間、又は元のＬ側グラフィックス信号間で補間処理することによって生成することができる。
【００５３】
同様にＲ側出力信号をＲ側色差合成部２１２で４：４：４形式から４：２：２形式に変換する時、画素位置２、３及び画素位置６、７における色差信号（Ｃｂ、Ｃｒ）は、元のＲ側ビデオ信号間、又は元のＲ側グラフィックス信号間で補間処理することによって生成ができる。しかしながら、画素位置０、１及び画素位置４、５における色差信号（Ｃｂ、Ｃｒ）は、元のＲ側ビデオ信号とＲ側グラフィックス信号との間で補間処理して生成しなければならない。そのため想定外の色差信号が算出される可能性がある。特に立体視の場合、Ｌ側出力信号の差分がちらつきとなって顕著に現れる。
【００５４】
そこで、Ｒ側αエッジ検出部２１０は、ブレンド係数（α値：透過度情報）の急峻な立ち上がり（０から１への変化）、及び立下り（１から０への変化）を検出する。その後、Ｒ側αエッジ位置判定部２１１は、Ｒ側出力信号が４：４：４形式から４：２：２形式に変換される場合、検出されたエッジ位置が奇数画素位置であるか否か、すなわち、Ｒ側ビデオ信号とＲ側グラフィックス信号との間で色差信号を補間処理する必要があるか否かを判別する。
【００５５】
エッジ位置が奇数画素位置の場合、Ｒ側データ補正部２０９は、Ｒ側ビデオ信号とＲ側グラフィックス信号との間での色差信号の補間処理を避けるために、補間処理の対象となる水平方向に隣接する２つの画素において、元のＲ側ビデオ信号の画素値（Ｙ／Ｃｂ／Ｃｒ）を元のＲ側グラフィックス信号の画素値に置き換える、もしくは元のＲ側グラフィックス信号の画素値を元のＲ側ビデオ信号の画素値に置き換える。
【００５６】
例えば、図８Ｂでは、画素位置１、２の間、および画素位置５、６の間がエッジ位置として検出され、αエッジ位置判別処理の結果、Ｒ側ビデオ信号とＲ側グラフィックス信号との間での色差信号の補間処理がなされる。このため、画素位置０の画素値（ＹＲ０／ＣｂＲ０／ＣｒＲ０）を画素位置１の画素値（ＹＧ０／ＣｂＧ０／ＣｒＧ０）に置換し、画素位置５の画素値を画素位置４の画素値に置換する。
【００５７】
その後、Ｒ側色差合成部２１２は、Ｒ側出力信号の色差方式を４：４：４形式から４：２：２形式へ変換する。すなわち、水平方向に隣接する２つの画素に共通する色差信号を、Ｒ側ビデオ信号及びＲ側グラフィックス信号の一方のみを用いて生成する。これにより、想定外の色信号が算出されるのを防ぐことができる。その結果、立体視におけるＬ側出力信号とＲ側出力信号との差分に起因するちらつきを抑えることができる。
【００５８】
本実施の形態によれば、ブレンド係数（α値：透過度情報）の急峻な変化位置が左右で異なることによって、立体視したときに生じるグラフィックス境界の乱れを、αエッジ検出を実施し、適切に補正することで、低減させるという効果を奏する。
【００５９】
なお、本実施の形態における補正処理は、水平方向に隣接する２つの画素を構成するＲ側ビデオ信号の画素値及びＲ側グラフィックス信号の画素値の一方を他方に置き換える例を示したが、これに限ることなく、別の方法を用いてもよい。
【００６０】
例えば、水平方向に隣接する２つの画素を構成するＲ側ビデオ信号の画素値とＲ側グラフィックス信号の画素値とを一方に重み（合成比率）を偏らせて重み付け加算してもよい。すなわち、上記の例は、重みを１０：０とした極端な例を示しているが、６：４、７：３、８：２、９：１等、重みがどちらか一方に偏っていれば、具体的な重み係数は限定されない。また、Ｒ側ビデオ信号及びＲ側グラフィックス信号のどちらに重みを偏らせてもよいが、Ｒ側グラフィックス信号の重み係数を多くするのが好ましく、Ｒ側グラフィック信号の重み係数を１０とし、Ｒ側ビデオ信号の重みを０とするのがさらに好ましい。
【００６１】
なお、本実施の形態ではＲ側出力信号において補正処理を行ったが、Ｌ側出力信号において補正処理を行ってもよい。
【００６２】
（実施の形態２）
以下に、本発明の実施の形態２に係る立体映像再生装置を、図９を参照して説明する。図９は、本発明の実施の形態における立体映像再生装置の構成を示すブロック図である。立体映像再生装置２は、ストリーム処理部１１と、ビデオデコーダ部１２と、デコード処理部９００と、Ｌ側オフセット部９０１と、Ｒ側オフセット部（視差付加部）９０２と、合成部（視差付加部）９０３と、ビデオ出力部１５とで構成される。なお、デコード処理部９００、Ｌ側オフセット部９０１、及びＲ側オフセット部９０２で、グラフィックスデコーダ部を構成する。また、実施の形態１と共通の構成要素には同一の参照番号を付し、詳しい説明は省略する。
【００６３】
ストリーム処理部１１は、３Dストリームを取得し、取得した３Ｄストリームをビデオストリームとグラフィックスストリームとに分離する。そして、ストリーム処理部１１は、ビデオストリームをビデオデコーダ部１２に出力し、グラフィックスストリームをデコード処理部９００に出力する。
【００６４】
ビデオデコーダ部１２は、ストリーム処理部１１から取得したビデオストリームを復号して、Ｌ側（左目用）ビデオ信号と、Ｒ側（右目用）ビデオ信号とを生成する。
【００６５】
一方、グラフィックスストリームが、Ｌ側／Ｒ側で共通のグラフィックス信号（平面グラフィックス信号）と、それに対する左右の水平移動量（オフセット、又は視差）とを含む１プレーンオフセット方式であった場合、デコード処理部９００は、ストリーム処理部１１から取得したグラフィックスストリームを復号して、左右共通の平面グラフィックス信号を生成する。そして、デコード処理部９００は、生成した平面グラフィックス信号及び水平移動量（左目側水平移動量及び右目側水平移動量）を、Ｌ側オフセット部９０１及びＲ側オフセット部９０２に出力する。
【００６６】
ここで、左目側水平移動量は、Ｌ側グラフィックス信号を生成するための平面グラフィックス信号の水平移動量である。右目側水平移動量は、Ｒ側グラフィックス信号を生成するための平面グラフィックス信号の水平移動量である。そして、左目側水平移動量及び右目側水平移動量は、例えば、平面グラフィックス信号と共にグラフィックスストリームに含まれていてもよい。
【００６７】
Ｌ側オフセット部９０１は、Ｌ側グラフィックス信号を作成するために、平面グラフィックス信号を左目側水平移動量に応じて一方方向（例えば、左方向）にずらす。一方、Ｒ側オフセット部９０２は、Ｒ側グラフィックス信号を生成するために、平面グラフィックス信号を右目側水平移動量に応じて他方方向（例えば、右方向）にずらす。そして、Ｌ側オフセット部９０１及びＲ側オフセット部９０２は、生成したＬ側グラフィックス信号及びＲ側グラフィックス信号を、合成部９０３に出力する。
【００６８】
合成部９０３は、ビデオデコーダ部１２から取得したＬ側ビデオ信号と、Ｌ側オフセット部９０１から取得したＬ側グラフィックス信号とを合成して、Ｌ側出力信号を生成する。同様に、合成部９０３は、ビデオデコーダ部１２から取得したＲ側ビデオ信号と、Ｒ側オフセット部９０２から取得したＲ側グラフィックス信号とを合成して、Ｒ側出力信号を生成する。そして、合成部９０３は、生成したＬ側出力信号及びＲ側出力信号を、ビデオ出力部１５に出力する。
【００６９】
なお、実施の形態２に係る合成部９０３は、実施の形態１に係る合成部１４と同様の処理を行うものであってもよいし、合成部１４と異なる処理を行うものであってもよい。例えば、合成部１４からＬ側データ補正部２０３、Ｌ側αエッジ検出部２０４、Ｌ側αエッジ位置判定部２０５、Ｒ側データ補正部２０９、Ｒ側αエッジ検出部２１０、Ｒ側αエッジ位置判定部２１１を省略したものであってもよい。
【００７０】
ビデオ出力部１５は、合成部９０３から取得したＬ側出力信号とＲ側出力意信号とを、所定の伝送方式に従い、１フレーム（ピクチャ）毎に交互に出力する。
【００７１】
このとき、平面グラフィックス信号を奇数画素だけずらしてＬ側グラフィックス信号を生成し、平面グラフィックス信号を偶数画素だけずらしてＲ側グラフィックス信号を生成する場合、合成部１４で生成されるＬ側出力信号及びＲ側出力信号の一方のグラフィックス境界に想定外の色信号が生じる。そのため、立体視したときに、グラフィックス信号とビデオ信号との境界面でちらつきが生じる。
【００７２】
そこで、本実施の形態においては、Ｌ側グラフィックス信号を生成するための左目側水平移動量（Ｌ側オフセット）、及びＲ側グラフィックス信号を生成するための右目側水平移動量（Ｒ側オフセット）の一方が奇数画素であり、他方が偶数画素である場合に、一方を他方に合わせるように左右どちらかの水平移動量を補正する。言い換えれば、左目側水平移動量及び右目側水平移動量の一方で他方を上書きする。これにより、平面グラフィックス信号を反対向きに同じ画素数だけずらして、Ｌ側グラフィックス信号とＲ側グラフィックス信号とを生成することになる。その結果、立体視したときのグラフィックス信号とビデオ信号の境界面でのちらつきを低減させることができる。
【００７３】
本実施の形態によれば、ブレンド係数（α値：透過度情報）の急峻な変化位置が左右で異なることによって、立体視したときに生じるグラフィックス境界の乱れを、エッジ位置の検出を実施し、適切に補正することで、低減させるという効果を奏する。
【００７４】
なお、上記の立体映像再生装置１、２の典型例は、例えば、図１０に示されるようなＢＤ（Ｂｌｕ−ｒａｙＤｉｓｃ）プレーヤ１００である。すなわち、ＢＤに記録された３Ｄストリームを読み出して上記の処理を実行し、ＴＶ（テレビジョン受像機）２００に出力する。但し、本発明はこれに限定されず、ＤＶＤ（Ｄｉｇｉｔａｌ  Ｖｅｒｓａｔｉｌｅ  Ｄｉｓｃ）等の他の記録媒体から３Ｄストリームを読み出すプレーヤであってもよいし、ＴＶ２００側に立体映像再生装置１、２を搭載してもよい。この場合、ＴＶ２００は、放送波を通じて３Ｄストリームを取得し、上記の処理を施して表示部に表示する。
【００７５】
（その他変形例）
なお、本発明を上記実施の形態に基づいて説明してきたが、本発明は、上記の実施の形態に限定されないのはもちろんである。以下のような場合も本発明に含まれる。
【００７６】
上記の各装置は、具体的には、マイクロプロセッサ、ＲＯＭ、ＲＡＭ、ハードディスクユニット、ディスプレイユニット、キーボード、マウスなどから構成されるコンピュータシステムである。ＲＡＭまたはハードディスクユニットには、コンピュータプログラムが記憶されている。マイクロプロセッサが、コンピュータプログラムにしたがって動作することにより、各装置は、その機能を達成する。ここでコンピュータプログラムは、所定の機能を達成するために、コンピュータに対する指令を示す命令コードが複数個組み合わされて構成されたものである。
【００７７】
上記の各装置を構成する構成要素の一部または全部は、１個のシステムＬＳＩ（Ｌａｒｇｅ  Ｓｃａｌｅ  Ｉｎｔｅｇｒａｔｉｏｎ：大規模集積回路）から構成されているとしてもよい。システムＬＳＩは、複数の構成要素を１個のチップ上に集積して製造された超多機能ＬＳＩであり、具体的には、マイクロプロセッサ、ＲＯＭ、ＲＡＭなどを含んで構成されるコンピュータシステムである。ＲＡＭには、コンピュータプログラムが記憶さている。マイクロプロセッサが、コンピュータプログラムにしたがって動作することにより、システムＬＳＩは、その機能を達成する。
【００７８】
上記の各装置を構成する構成要素の一部または全部は、各装置に脱着可能なＩＣカードまたは単体のモジュールから構成されているとしてもよい。ＩＣカードまたはモジュールは、マイクロプロセッサ、ＲＯＭ、ＲＡＭなどから構成されるコンピュータシステムである。ＩＣカードまたはモジュールは、上記の超多機能ＬＳＩを含むとしてもよい。マイクロプロセッサが、コンピュータプログラムにしたがって動作することにより、ＩＣカードまたはモジュールは、その機能を達成する。このＩＣカードまたはこのモジュールは、耐タンパ性を有するとしてもよい。
【００７９】
本発明は、上記に示す方法であるとしてもよい。また、これらの方法をコンピュータにより実現するコンピュータプログラムであるとしてもよいし、コンピュータプログラムからなるデジタル信号であるとしてもよい。
【００８０】
また、本発明は、コンピュータプログラムまたはデジタル信号をコンピュータ読み取り可能な記録媒体、例えば、フレキシブルディスク、ハードディスク、ＣＤ−ＲＯＭ、ＭＯ、ＤＶＤ、ＤＶＤ−ＲＯＭ、ＤＶＤ−ＲＡＭ、ＢＤ（Ｂｌｕ−ｒａｙ  Ｄｉｓｃ）、半導体メモリなどに記録したものとしてもよい。また、これらの記録媒体に記録されているデジタル信号であるとしてもよい。
【００８１】
また、本発明は、コンピュータプログラムまたはデジタル信号を、電気通信回線、無線または有線通信回線、インターネットを代表とするネットワーク、データ放送等を経由して伝送するものとしてもよい。
【００８２】
また、本発明は、マイクロプロセッサとメモリを備えたコンピュータシステムであって、メモリは、上記コンピュータプログラムを記憶しており、マイクロプロセッサは、コンピュータプログラムにしたがって動作するとしてもよい。
【００８３】
また、プログラムまたはデジタル信号を記録媒体に記録して移送することにより、またはプログラムまたはデジタル信号をネットワーク等を経由して移送することにより、独立した他のコンピュータシステムにより実施してもよい。
【００８４】
上記実施の形態及び上記変形例をそれぞれ組み合わせてもよい。
【００８５】
以上、図面を参照してこの発明の実施形態を説明したが、この発明は、図示した実施形態のものに限定されない。図示した実施形態に対して、この発明と同一の範囲内において、あるいは均等の範囲内において、種々の修正や変形を加えることが可能である。
【産業上の利用可能性】
【００８６】
本発明は、立体映像である主映像に副映像などを重ね合わせて再生する立体映像再生装置に適用可能である。
【符号の説明】
【００８７】
１，２  立体映像再生装置
１１  ストリーム処理部
１２  ビデオデコーダ部
１３  グラフィックスデコーダ部
１４，９０３  合成部
１５  ビデオ出力部
１００  ＢＤプレーヤ
２００  ＴＶ
２０１  Ｌ側色差分割部
２０２  Ｌ側重畳部
２０３  Ｌ側データ補正部
２０４  Ｌ側αエッジ検出部
２０５  Ｌ側αエッジ位置判定部
２０６  Ｌ側色差合成部
２０７  Ｒ側色差分割部
２０８  Ｒ側重畳部
２０９  Ｒ側データ補正部
２１０  Ｒ側αエッジ検出部
２１１  Ｒ側αエッジ位置判定部
２１２  Ｒ側色差合成部
９００  デコード処理部
９０１  Ｌ側オフセット部
９０２  Ｒ側オフセット部
【図１Ａ】
2011217361.tif 000003
【図１Ｂ】
2011217361.tif 000004
【図２Ａ】
2011217361.tif 000005
【図２Ｂ】
2011217361.tif 000006
【図３】
2011217361.tif 000007
【図４】
2011217361.tif 000008
【図５】
2011217361.tif 000009
【図６】
2011217361.tif 000010
【図７Ａ】
2011217361.tif 000011
【図７Ｂ】
2011217361.tif 000012
【図８Ａ】
2011217361.tif 000013
【図８Ｂ】
2011217361.tif 000014
【図９】
2011217361.tif 000015
【図１０】
2011217361.tif 000016